【手続補正書】
【提出日】平成28年10月14日(2016.10.14)
【手続補正１】
【補正対象書類名】特許請求の範囲
【補正対象項目名】全文
【補正方法】変更
【補正の内容】
【特許請求の範囲】
【請求項１】
ネットワークを介して通信するための方法であって、
第１のデバイスから前記ネットワークの少なくとも第１の経路を介して第２のデバイスに、一連のプロトコルデータユニット（ＰＤＵ）を送信することと、ここにおいて、前記一連のＰＤＵの各ＰＤＵは、関連するシーケンス番号を含む、
前記一連のＰＤＵのうちの少なくとも１つの確認応答されないＰＤＵが前記第２のデバイスによって適切に受信されなかったことを指示する第１の選択的確認応答（ＳＡＣＫ）メッセージを前記第２のデバイスから受信することと、
前記第１のＳＡＣＫメッセージを受信することに応答して、制御インジケータを送信することと、前記制御インジケータは、前記第１のデバイスが、第１のシーケンス番号より早い先行するシーケンス番号に関連付けられる確認応答されないＰＤＵを再送しないことを指示するために前記第１のシーケンス番号を含む、
を備える、方法。
【請求項２】
前記第１のＳＡＣＫメッセージを受信することに応答して、前記ネットワークの第２の経路を介して前記第１のＳＡＣＫメッセージによって指示された第１のＰＤＵを再送すること、前記第２の経路は前記第１の経路と比較して短い待ち時間である、請求項１に記載の方法。
【請求項３】
第１の確認応答されないＰＤＵについての推定される再送遅延および前記一連のＰＤＵに関連付けられる少なくとも１つのサービス品質要件に少なくとも部分的に基づいて、前記第１のＳＡＣＫメッセージによって指示された前記第１の確認応答されないＰＤＵを再送するかを決定することをさらに備える、請求項１に記載の方法。
【請求項４】
前記推定される再送遅延が前記少なくとも１つのサービス品質要件に関連付けられる遅延許容範囲しきい値より大きいことに少なくとも部分的に基づいて、前記第１の確認応答されないＰＤＵを再送するのをやめることをさらに備える、請求項３に記載の方法。
【請求項５】
前記制御インジケータは、制御メッセージを備える、請求項１に記載の方法。
【請求項６】
前記制御インジケータを送信することは、前記第１のＳＡＣＫメッセージによって指示された第１の確認応答されないＰＤＵを再送することを備え、前記制御インジケータは、前記第１の確認応答されないＰＤＵとともに含まれる、請求項１に記載の方法。
【請求項７】
前記シーケンス番号は、前記一連のＰＤＵからのデータを上位レイヤに前記一連のＰＤＵが送信された順序で送達するために前記第２のデバイスによって使用可能である、請求項１に記載の方法。
【請求項８】
前記第１の経路を介して送信される前記一連のＰＤＵは、パケットストリームに関連付けられるＰＤＵの第１のサブセットを備え、前記方法はさらに、
前記第１のデバイスから第２の経路を介して前記第２のデバイスに、前記パケットストリームに関連付けられるＰＤＵの第２のサブセットを送信することを備え、ＰＤＵの前記第２のサブセットの各ＰＤＵは関連するシーケンス番号を含む、請求項１に記載の方法。
【請求項９】
ＰＤＵの前記第１のサブセットおよびＰＤＵの前記第２のサブセットからのＰＤＵに関連付けられるシーケンス番号は前記パケットストリームのための前記ＰＤＵの間で一意である、請求項８に記載の方法。
【請求項１０】
前記第１のＳＡＣＫメッセージは、ＰＤＵの前記第１のサブセットおよびＰＤＵの前記第２のサブセットの両方からの確認応答されないＰＤＵのシーケンス番号を指示する、請求項８に記載の方法。
【請求項１１】
前記第１のＳＡＣＫメッセージは、ＰＤＵの前記第１のサブセットに関する確認応答フィードバックに関連付けられ、前記方法はさらに、
ＰＤＵの前記第２のサブセットに関する他の確認応答フィードバックに関連付けられる第２のＳＡＣＫメッセージを受信することを備える、請求項８に記載の方法。
【請求項１２】
前記第１のＳＡＣＫメッセージおよび前記第２のＳＡＣＫメッセージは、前記第２のデバイスから前記第１のデバイスへの同じフィードバック経路を介して前記第１のデバイスにおいて受信される、請求項１１に記載の方法。
【請求項１３】
前記一連のＰＤＵの各ＰＤＵ内に含まれる前記関連するシーケンス番号は、前記関連するシーケンス番号を含むように転用された仮想ローカルエリアネットワーク（ＶＬＡＮ）ヘッダ内に含まれる、請求項１に記載の方法。
【請求項１４】
第１のデバイスであって、
前記第１のデバイスからネットワークの少なくとも第１の経路を介して第２のデバイスに、一連のプロトコルデータユニット（ＰＤＵ）を送信するように構成されるネットワークインターフェースと、ここにおいて、前記一連のＰＤＵの各ＰＤＵは、関連するシーケンス番号を含む、
一連のプロトコルデータユニット（ＰＤＵ）のうちの少なくとも１つの確認応答されないＰＤＵが前記第２のデバイスによって適切に受信されなかったことを指示する第１のＳＡＣＫメッセージを第２のデバイスから受信し、前記第１のＳＡＣＫメッセージの受信に応答して、制御インジケータを送信するように構成される選択的確認応答（ＳＡＣＫ）および再送（ＳＡＣＫ／再送）コントローラと、前記制御インジケータは、前記第１のデバイスが、第１のシーケンス番号より早い先行するシーケンス番号に関連付けられる確認応答されないＰＤＵを再送しないことを指示するために前記第１のシーケンス番号を含む、
を備える、第１のデバイス。
【請求項１５】
前記ＳＡＣＫ／再送コントローラはさらに、
前記第１のＳＡＣＫメッセージの前記受信に応答して、前記ネットワークの第２の経路を介して前記第１のＳＡＣＫメッセージによって指示された第１のＰＤＵを再送するように構成され、前記第２の経路は前記第１の経路と比較して短い待ち時間である、請求項１４に記載の第１のデバイス。
【請求項１６】
前記ＳＡＣＫ／再送コントローラはさらに、
第１の確認応答されないＰＤＵの推定される再送遅延および前記一連のＰＤＵに関連付けられる少なくとも１つのサービス品質要件に少なくとも部分的に基づいて、前記第１のＳＡＣＫメッセージによって指示された前記第１の確認応答されないＰＤＵを再送するかを決定するように構成される、請求項１４に記載の第１のデバイス。
【請求項１７】
前記ＳＡＣＫ／再送コントローラはさらに、
前記推定される再送遅延が前記少なくとも１つのサービス品質要件に関連付けられる遅延許容範囲しきい値より大きいことに少なくとも部分的に基づいて、前記第１の確認応答されないＰＤＵの再送をやめるように構成される、請求項１６に記載の第１のデバイス。
【請求項１８】
前記制御インジケータは、制御メッセージを備える、請求項１６に記載の第１のデバイス。
【請求項１９】
前記制御インジケータを送信するように構成される前記ＳＡＣＫ／再送コントローラは、前記ＳＡＣＫ／再送コントローラが、前記第１のＳＡＣＫメッセージによって指示された第１の確認応答されないＰＤＵを再送するようにさらに構成されることを備え、前記制御インジケータは、前記第１の確認応答されないＰＤＵとともに含まれる、請求項１４に記載の第１のデバイス。
【請求項２０】
前記シーケンス番号は、前記一連のＰＤＵからのデータを上位レイヤに前記一連のＰＤＵが送信された順序で送達するために前記第２のデバイスによって使用可能である、請求項１４に記載の第１のデバイス。
【請求項２１】
前記第１の経路を介して送信される前記一連のＰＤＵは、パケットストリームに関連付けられるＰＤＵの第１のサブセットを備え、前記ＳＡＣＫ／再送コントローラはさらに、
前記第１のデバイスから第２の経路を介して前記第２のデバイスに、前記パケットストリームに関連付けられるＰＤＵの第２のサブセットを送信するように構成され、ＰＤＵの前記第２のサブセットの各ＰＤＵは関連するシーケンス番号を含む、請求項１４に記載の第１のデバイス。
【請求項２２】
ＰＤＵの前記第１のサブセットおよびＰＤＵの前記第２のサブセットからのＰＤＵに関連付けられるシーケンス番号は前記パケットストリームのための前記ＰＤＵの間で一意である、請求項２１に記載の第１のデバイス。
【請求項２３】
前記第１のＳＡＣＫメッセージは、ＰＤＵの前記第１のサブセットおよびＰＤＵの前記第２のサブセットの両方からの確認応答されないＰＤＵのシーケンス番号を指示する、請求項２１に記載の第１のデバイス。
【請求項２４】
前記第１のＳＡＣＫメッセージは、ＰＤＵの前記第１のサブセットに関する確認応答フィードバックに関連付けられ、前記ＳＡＣＫ／再送コントローラはさらに、
ＰＤＵの前記第２のサブセットに関する他の確認応答フィードバックに関連付けられる第２のＳＡＣＫメッセージを受信するように構成される、請求項２１に記載の第１のデバイス。
【請求項２５】
前記第１のＳＡＣＫメッセージおよび前記第２のＳＡＣＫメッセージは、前記第２のデバイスから前記第１のデバイスへの同じフィードバック経路を介して前記第１のデバイスにおいて受信される、請求項２４に記載の第１のデバイス。
【請求項２６】
命令を記憶した非一時的コンピュータ可読媒体であって、前記命令は、第１のデバイスのプロセッサによって実行されると、
前記第１のデバイスからネットワークの少なくとも第１の経路を介して第２のデバイスに、一連のプロトコルデータユニット（ＰＤＵ）を送信することと、ここにおいて、前記一連のＰＤＵの各ＰＤＵは、関連するシーケンス番号を含む、
前記一連のＰＤＵのうちの少なくとも１つの確認応答されないＰＤＵが前記第２のデバイスによって適切に受信されなかったことを指示する選択的確認応答（ＳＡＣＫ）メッセージを前記第２のデバイスから受信することと、
前記ＳＡＣＫメッセージの受信に応答して、制御インジケータを送信することと、前記制御インジケータは、前記第１のデバイスが、第１のシーケンス番号より早い先行するシーケンス番号に関連付けられる確認応答されないＰＤＵを再送しないことを指示するために前記第１のシーケンス番号を含む、
を前記第１のデバイスに行わせる、非一時的コンピュータ可読媒体。
【請求項２７】
前記命令は、前記第１のデバイスの前記プロセッサによって実行されると、
第１の確認応答されないＰＤＵの推定される再送遅延および前記一連のＰＤＵに関連付けられる少なくとも１つのサービス品質要件に少なくとも部分的に基づいて、前記ＳＡＣＫメッセージによって指示された前記第１の確認応答されないＰＤＵを再送するかを決定すること
を前記第１のデバイスに行わせる、請求項２６に記載の非一時的コンピュータ可読媒体。
【請求項２８】
前記命令は、前記第１のデバイスの前記プロセッサによって実行されると、
前記推定される再送遅延が前記少なくとも１つのサービス品質要件に関連付けられる遅延許容範囲しきい値より大きいことに少なくとも部分的に基づいて、前記第１の確認応答されないＰＤＵを再送するのをやめさせること
を前記第１のデバイスに行わせる、請求項２７に記載の非一時的コンピュータ可読媒体。
【請求項２９】
前記制御インジケータは、制御メッセージを備える、請求項２６に記載の非一時的コンピュータ可読媒体。
【請求項３０】
前記命令は、前記第１のデバイスの前記プロセッサによって実行されると、
前記ＳＡＣＫメッセージによって指示された第１の確認応答されないＰＤＵを再送することを前記第１のデバイスに行わせ、前記制御インジケータは、前記第１の確認応答されないＰＤＵとともに含まれる、請求項２６に記載の非一時的コンピュータ可読媒体。
【請求項３１】
ネットワークを介して通信するための装置であって、前記装置は、
第１のデバイスから前記ネットワークの少なくとも第１の経路を介して第２のデバイスに、一連のプロトコルデータユニット（ＰＤＵ）を送信するための手段と、ここにおいて、前記一連のＰＤＵの各ＰＤＵは、関連するシーケンス番号を含む、
前記一連のＰＤＵのうちの少なくとも１つの確認応答されないＰＤＵが前記第２のデバイスによって適切に受信されなかったことを指示する選択的確認応答（ＳＡＣＫ）メッセージを前記第２のデバイスから受信するための手段と、
前記ＳＡＣＫメッセージを受信することに応答して、制御インジケータを送信するための手段と、前記制御インジケータは、前記第１のデバイスが、第１のシーケンス番号より早い先行するシーケンス番号に関連付けられる確認応答されないＰＤＵを再送しないことを指示するために前記第１のシーケンス番号を含む、
を備える、装置。
【請求項３２】
第１の確認応答されないＰＤＵの推定される再送遅延および前記一連のＰＤＵの少なくとも１つのサービス品質要件に少なくとも部分的に基づいて、前記ＳＡＣＫメッセージにおいて指示された前記第１の確認応答されないＰＤＵを再送するかを決定するための手段をさらに備える、請求項３１に記載の装置。
【請求項３３】
前記推定される再送遅延が前記少なくとも１つのサービス品質要件に関連付けられる遅延しきい値より大きいことに少なくとも部分的に基づいて、前記第１の確認応答されないＰＤＵを再送するのをやめるための手段をさらに備える、請求項３２に記載の装置。
【請求項３４】
前記制御インジケータは、制御メッセージにまたは再送されるＰＤＵのヘッダに含まれる、請求項３２に記載の装置。
【請求項３５】
前記一連のＰＤＵを送信することは、前記ネットワークの前記第１の経路を介して前記一連のＰＤＵの第１のサブセットを送信することと、前記ネットワークの第２の経路を介して前記一連のＰＤＵの第２のサブセットを送信することとを備え、
前記一連のＰＤＵは、パケットストリームに関連付けられ、
前記シーケンス番号は、前記一連のＰＤＵのうちの１つのＰＤＵが前記ネットワークを通じてどの経路を横断するかに関係なく、前記パケットストリームに関連付けられる前記一連のＰＤＵの間で一意である、請求項１に記載の方法。
【請求項３６】
前記一連のＰＤＵ内に含まれる前記シーケンス番号は、媒体アクセス制御（ＭＡＣ）レイヤに割り当てられ、前記パケットストリームは、前記ＭＡＣより上位のレイヤに関連付けられる、請求項３５に記載の方法。
【請求項３７】
前記第１のサブセットを送信することと、前記第２のサブセットを送信することとは、
前記第１の経路および前記第２の経路の待ち時間を決定することと、
前記一連のＰＤＵが近い順序で到着するように、前記第１の経路および前記第２の経路の前記待ち時間に少なくとも部分的に基づいて、それぞれ、前記第１の経路および前記第２の経路を介して前記第１のサブセットおよび前記第２のサブセットの送信をスケジューリングすることと、
を備える、請求項３５に記載の方法。